(57)【要約】【課題】回動可能に連結された遮蔽体同士の境界部が遮蔽され、而も、長期にわたる使用や保管等により各部にある程度の変形が生じてもその遮蔽が維持されて一方の側から他方の側が見えるような透き間が生じることが防がれる。【解決手段】中央遮蔽板１０の右辺及び左辺、右遮蔽板１２の左辺、並びに左遮蔽板１４の右辺に、それぞれの辺に沿った所定直線を中心とする仮想円筒状面の所定中心角部分に沿って、所定直線に平行な歯１８ａにより構成された凹凸状の歯部１８を形成する。中央遮蔽板１０の右辺の歯部１８と右遮蔽板１２の左辺の歯部１８は、両遮蔽板が相対的に回動する際に、両歯部１８が噛合しつつ一方の歯部１８についての所定直線のまわりに他方の歯部１８がその他方の歯部１８についての所定直線を中心として相対的に回動し得る。中央遮蔽板１０の左辺と左遮蔽板１４の右辺についても同様。【選択図】      図１
2004176387.tif 000002
【特許請求の範囲】
【請求項１】
板状材又は枠状材からなる２以上の遮蔽体と、それらの遮蔽体のうち２つずつを、各遮蔽体の所定直線状部同士において互いに回動可能に連結する１以上の連結体を備えてなる遮蔽装置であって、
前記連結体は、一方の遮蔽体における所定直線に沿った所定直線状部及び他方の遮蔽体における前記所定直線に平行な所定直線に沿った所定直線状部と、それぞれ一方の所定直線及び他方の所定直線を中心として回動し得るように連結しており、
前記各所定直線状部に、それぞれの所定直線を中心とする仮想円筒状面の所定中心角部分に沿って凹凸状の歯部が形成され、両遮蔽体が相対的に回動する際に、一方の遮蔽体の所定直線状部における歯部と他方の遮蔽体の所定直線状部における歯部が噛合しつつ一方の歯部についての所定直線のまわりに他方の歯部がその他方の歯部についての所定直線を中心として相対的に回動し得、
回動可能に連結された両所定直線状部の間が、前記歯部同士の噛合により遮蔽されていることを特徴とする折畳遮蔽装置。
【請求項２】
遮蔽装置の全部又は所定部分が遮蔽域を構成し、回動可能に連結された両所定直線状部の間のうち少なくとも前記遮蔽域に含まれる部分のほぼ全部が、上記歯部同士の噛合により遮蔽されている請求項１記載の折畳遮蔽装置。
【請求項３】
回動可能に連結された両所定直線状部の間のうち少なくとも遮蔽域に含まれる部分の全部が、歯部同士の噛合により遮蔽されており、連結体が前記遮蔽域外に位置する請求項２記載の折畳遮蔽装置。
【請求項４】
回動可能に連結された両所定直線状部の間のうち遮蔽域に含まれる部分が、歯部と連結体により構成されており、前記両所定直線状部の所定直線方向において９５％以上が歯部同士の噛合により遮蔽されており、残部に連結体が位置する請求項２記載の折畳遮蔽装置。
【請求項５】
連結体が上記所定直線方向において遮蔽域の端から２０％以内に位置する請求項４記載の折畳遮蔽装置。
【請求項６】
遮蔽体を所定直線方向に起立させた状態において、その上下方向中間位置に、板状材又は枠状材からなる中間部材を水平状に支持し得る支持部を備えた請求項１乃至５の何れかに記載の折畳遮蔽装置。
【請求項７】
中間部材を何れかの遮蔽体に対し折畳及び拡開可能に連結してなる請求項６記載の折畳遮蔽装置。
【発明の詳細な説明】
【０００１】
【発明の属する技術分野】
本発明は、複数枚のパネル等の遮蔽体を相互に回動可能なように連結してなる折畳遮蔽装置に関するものであり、投票用紙や各種申請用紙等の秘密やプライバシー保護等の必要な書類記入、或いは臨時更衣室等のための遮蔽に利用することができる。
【０００２】
【従来の技術及び発明が解決しようとする課題】
秘密やプライバシー保護等の必要な書類記入等のための目隠しとして、特に、投票用紙記入のように臨時的に必要な目隠しとして、組み立て式の目隠し用衝立が用いられている。
【０００３】
このような目隠し用の衝立における衝立板同士を、蝶番を用いて折畳自在とした場合、蝶番により回動する衝立板同士の境界部に隙間が生じ、その隙間を通じて外部から内部が見えるおそれがある。また、そのような隙間が生じないような構成を採用した場合も、長期にわたる使用や保管等により各部にある程度の変形が発生して隙間ができるおそれがある。
【０００４】
例えば
【特許文献１】には、必要なときには、パネル２の前端に蝶番８ａ，９ａにより開閉自在に設けられた扉体８，９を開いてワークステーションやワークブースとして使用することができ、不要時には、扉体８，９を折畳み状態乃至は閉鎖状態として、邪魔にならない場所に移動させて、格納したりそこに置いておくようにした移動ワークブースが記載されている。しかしながら、この場合の扉体８，９とパネル２の前端との間には僅かに隙間が生じる。
【特許文献１】特開２００１−１０４０５４号公報
【０００５】
本発明は、従来技術に存した上記のような課題に鑑み行われたものであって、その目的とするところは、回動可能に連結された遮蔽体同士の境界部が遮蔽され、而も、長期にわたる使用や保管等により各部にある程度の変形が生じてもその遮蔽が維持されて一方の側から他方の側が見えるような透き間が生じることが防がれる折畳遮蔽装置を提供することにある。
【０００６】
【課題を解決するための手段】
上記目的を達成する本発明の折畳遮蔽装置は、
板状材又は枠状材からなる２以上の遮蔽体と、それらの遮蔽体のうち２つずつを、各遮蔽体の所定直線状部同士において互いに回動可能に連結する１以上の連結体を備えてなる遮蔽装置であって、
前記連結体は、一方の遮蔽体における所定直線に沿った所定直線状部及び他方の遮蔽体における前記所定直線に平行な所定直線に沿った所定直線状部と、それぞれ一方の所定直線及び他方の所定直線を中心として回動し得るように連結しており、
前記各所定直線状部に、それぞれの所定直線を中心とする仮想円筒状面の所定中心角部分に沿って凹凸状の歯部が形成され、両遮蔽体が相対的に回動する際に、一方の遮蔽体の所定直線状部における歯部と他方の遮蔽体の所定直線状部における歯部が噛合しつつ一方の歯部についての所定直線のまわりに他方の歯部がその他方の歯部についての所定直線を中心として相対的に回動し得、
回動可能に連結された両所定直線状部の間が、前記歯部同士の噛合により遮蔽されていることを特徴とする。
【０００７】
２以上の遮蔽体のうち２つずつが、各遮蔽体の所定直線状部同士において連結体を介して互いに回動可能に連結され、１つの連結体が、一方の遮蔽体における所定直線に沿った所定直線状部と、その所定直線を中心として回動し得るように連結していると共に、他方の遮蔽体における前記所定直線に平行な所定直線に沿った所定直線状部と、他方の所定直線を中心として回動し得るように連結している。従って、一方の遮蔽体に対し他方の遮蔽体が回動することにより折畳及び拡開等が可能である。１つの遮蔽体に１又は２の遮蔽体がそれぞれ連結体を介して回動可能に連結されたもののほか、１つの遮蔽体に１、２又は３以上の遮蔽体がそれぞれ連結体を介して回動可能に連結されたものであってもよい。
【０００８】
連結された両遮蔽体が相対的に回動する際に、一方の遮蔽体の所定直線状部における歯部と他方の遮蔽体の所定直線状部における歯部が噛合しつつ一方の歯部についての所定直線のまわりに他方の歯部がその他方の歯部についての所定直線を中心として相対的に回動するので、回動可能に連結された両所定直線状部の間のうち歯部同士が噛合した部分は、歯の噛み合いに遮蔽され、一方の側から他方の側が見えない。長期にわたる使用や保管等により各部にある程度の変形が生じても、噛み合う歯部同士における歯の重なり合いにより遮蔽が維持されるので、一方の側から他方の側が見えるような透き間が生じることが防がれる。
【０００９】
本発明の遮蔽装置における遮蔽体というのは、少なくとも一方の側から他方の側が見えないように遮蔽するものである。遮蔽体は、板状材又は枠状材からなるものであり、例えば平板体、１又は２以上の箇所で折曲した折曲板体、凹凸を有する凹凸板体、湾曲板体等とすることができる。遮蔽体が枠状材からなるものである場合、その枠の内側を、例えば板状物又は布やフィルム等のシート状物により構成して遮蔽体とすることができる。
【００１０】
本発明の遮蔽装置は、２又は３以上の遮蔽体と、それらの遮蔽体のうち２つずつを、各遮蔽の同士において互いに回動可能に連結する１以上の連結体を備えてなる。
【００１１】
遮蔽体における所定直線に沿った所定直線状部としては、例えば、遮蔽体における直線状の端縁部（方形板状遮蔽体の場合の一辺部等）、遮蔽体の中間部（方形板状遮蔽体の一方側の面における任意直線状部、例えば一辺に平行な直線状部）等を挙げることができる。
【００１２】
遮蔽体の連結は、例えば直鎖連結（例えば方形板状遮蔽体Ａの一辺Ａ１に他の方形板状遮蔽体Ｂの一辺Ｂ１が連結し、その方形板状遮蔽体Ｂにおける前記辺Ｂ１に相対する辺Ｂ２に他の方形板状遮蔽体Ｃの一辺Ｃ１が連結し、その方形板状遮蔽体Ｃにおける前記辺Ｃ１に相対する辺Ｃ２に他の方形板状遮蔽体Ｄの一辺Ｄ１が連結する態様）でもよく、分岐連結（例えば方形板状遮蔽体Ａの一辺Ａ１に他の方形板状遮蔽体Ｂの一辺Ｂ１が連結し、その方形板状遮蔽体Ｂにおける前記辺Ｂ１に相対する辺Ｂ２に他の方形板状遮蔽体Ｃの一辺Ｃ１が連結し、前記方形板状遮蔽体Ｂにおける一方側の面における辺Ｂ１及び辺Ｂ２に平行な任意直線状部Ｂ３に、他の方形板状遮蔽体Ｄの一辺Ｄ１が連結する態様）でもよい。
【００１３】
１つの連結体は、一方の遮蔽体における所定直線に沿った所定直線状部と、その所定直線を中心として回動し得るように連結していると共に、他方の遮蔽体における前記所定直線に平行な所定直線に沿った所定直線状部と、他方の所定直線を中心として回動し得るように連結している。このような連結は、例えば、連結体の両端部に透孔を設け、両遮蔽体における各所定直線を中心とする挿通孔にそれぞれ軸体を挿通し、各軸体を連結体の両端部の各透孔に挿通して、軸体と挿通孔又は軸体と透孔を回動自在とすることにより行い得る。また例えば、両遮蔽体における各所定直線を中心とする挿通孔にそれぞれ軸体を回動自在に挿通し、各軸体を連結体の両端部に固定することにより行い得る。
【００１４】
各所定直線状部には、それぞれの所定直線を中心とする仮想円筒状面（必ずしも完全な円筒であることを要するものではない。）の所定中心角部分（例えば９０乃至２７０度の範囲の一定中心角の部分）に沿って、凹凸状の歯部（歯車における軸線を中心とする所定中心角部分に相当する形状とすることができる）が形成されている。これらの歯部は、両遮蔽体が相対的に回動する際に、一方の遮蔽体の所定直線状部における歯部と他方の遮蔽体の所定直線状部における歯部が噛合しつつ一方の歯部についての所定直線のまわりに他方の歯部がその他方の歯部についての所定直線を中心として相対的に回動し得るよう構成されている。なお、歯部は、例えば、その歯部についての所定直線に平行な歯により構成することができるが、これに限るものではない。
【００１５】
一方の遮蔽体に連結された他方の遮蔽体が、一方の遮蔽体に対し回動し得る角度は、前記一方の遮蔽体の一方の側に位置する状態と他方の側に位置する状態の間でほぼ３６０度回動し得るものとすることや、ほぼ９０度回動し得るもの又は１８０度回動し得るもの等とすることもできる。
【００１６】
（１）  また本発明の折畳遮蔽装置は、遮蔽装置の全部又は所定部分が遮蔽域を構成し、回動可能に連結された両所定直線状部の間のうち少なくとも遮蔽域に含まれる部分のほぼ全部が、歯部同士の噛合により遮蔽されているものとすることができる。この場合、回動可能に連結された両所定直線状部の間のうち少なくとも遮蔽域に含まれる部分のほぼ全部が、上記歯部同士の噛合により遮蔽されているので、両所定直線状部の間が、遮蔽域のほぼ全部において、一方の側から他方の側が見えないように遮蔽される。
【００１７】
遮蔽域というのは、一方の側から他方の側が見えないように遮蔽する領域を言い、投票用紙、役所への申請用紙のように、秘密やプライバシー保護等の必要な書類記入、或いは臨時更衣室等のために利用することができる。
【００１８】
この折畳遮蔽装置は、回動可能に連結された両所定直線状部の間のうち少なくとも遮蔽域に含まれる部分の全部が、歯部同士の噛合により遮蔽されており、連結体が前記遮蔽域外に位置するものとすることができる。
【００１９】
この場合、回動可能に連結された両所定直線状部の間のうち少なくとも遮蔽域に含まれる部分の全部が、歯部同士の噛合により遮蔽されており、連結体が前記遮蔽域外に位置するので、両所定直線状部の間が、遮蔽域の全部において、一方の側から他方の側が見えないように遮蔽される。
【００２０】
（１−１）  また、この折畳遮蔽装置は、回動可能に連結された両所定直線状部の間のうち遮蔽域に含まれる部分が、歯部と連結体により構成されており、前記両所定直線状部の所定直線方向において９５％以上が歯部同士の噛合により遮蔽されており、残部に連結体が位置するものとすることができる。
【００２１】
この場合、回動可能に連結された両所定直線状部の間のうち遮蔽域に含まれる部分が、歯部と連結体により構成され、両所定直線状部の所定直線方向において９５％以上（好ましくは９７％、９８％、又は９９％以上。上限は例えば９９．９５％とすることができる。）が歯部同士の噛合により遮蔽されており、残部に連結体が位置するので、両所定直線状部の間が、遮蔽域のほぼ全部において、実質上一方の側から他方の側が見えないように遮蔽される。前記残部に位置する連結体の軸方向寸法（２以上の連結体が１つの所定直線状部に存在する場合、それらの合計）は、例えば５％以下（好ましくは３％、２％、又は１％以下。下限は例えば０．０５％）とすることができる。
【００２２】
この折畳遮蔽装置は、連結体が所定直線方向において遮蔽域の端から２０％以内に位置するものとすることができる。この場合、回動可能に連結された両所定直線状部の間のうち遮蔽域に含まれる部分が、歯部と連結体により構成され、両所定直線状部の所定直線方向において９５％以上（好ましくは９７％、９８％、又は９９％以上。上限は例えば９９．９５％とすることができる。）が歯部同士の噛合により遮蔽されており、残部に連結体が位置し、而もその連結体は所定直線方向において遮蔽域の端から２０％以内に位置するので、両所定直線状部の間が、遮蔽域のほぼ全部において、実質上一方の側から他方の側が見えないようにより効果的に遮蔽される。
【００２３】
（２）  更に、本発明の折畳遮蔽装置は、遮蔽体を所定直線方向に起立させた状態において、その上下方向（所定直線方向）中間位置に、板状材又は枠状材からなる中間部材を水平状に支持し得る支持部を備えたものとすることができる。この折畳遮蔽装置は、中間部材を例えば書類や投票用紙の記入等に用いることができる。この場合の遮蔽域は、中間部材の高さ以上の領域とすることができる。
【００２４】
また、この折畳遮蔽装置は、中間部材を何れかの遮蔽体に対し折畳及び拡開可能に（例えば蝶番等により）連結してなるものとすることができる。
【００２５】
【発明の実施の形態】
本発明の実施の形態を、図面を参照しつつ説明する。
【００２６】
図１乃至図９は、本発明の折畳遮蔽装置の実施の形態の一例としての折畳衝立装置に関するものであって、図１は拡開状態の平面図、図２は拡開状態の左側面図、図３は折畳状態の平面図、図４は遮蔽体連結部の要部拡大斜視図、図５は遮蔽体連結部の要部分解拡大斜視図、図６乃至図９は遮蔽体連結部の拡大平面図である。
【００２７】
この折畳衝立装置Ｓは、中央遮蔽板１０（遮蔽体）の右辺（所定直線状部）と右遮蔽板１２（遮蔽体）の左辺（所定直線状部）、並びに中央遮蔽板１０の左辺（所定直線状部）と左遮蔽板１４（遮蔽体）の右辺（所定直線状部）が、それぞれ連結体１６を介して互いに回動可能に連結されている。中央遮蔽板１０と右遮蔽板１２と左遮蔽板１４は、何れも枠体内にパネル材が保持されて一方の側から他方の側が見えないように遮蔽するものであり、それぞれ方形状をなす。
【００２８】
中央遮蔽板１０の右辺及び左辺、右遮蔽板１２の左辺、並びに左遮蔽板１４の右辺には、それぞれの辺に沿った所定直線を中心とする仮想円筒状面の所定中心角部分（この場合約２３０度）に沿って、前記所定直線に平行な歯１８ａにより構成された凹凸状の歯部１８が形成されている。
【００２９】
連結体１６は、平面視における短辺部が半円周形状の略方形状をなす一定軸方向厚さ（各遮蔽体の上下方向長さの約１％の厚さ）をなし、両半円周面部１６ａの内方にそれぞれ軸方向の透孔１６ｂを有する。中央遮蔽板１０の右辺と右遮蔽板１２の左辺のそれぞれにおける上端部付近（上端から各遮蔽体の上下方向長さの２０％以内）及び下端部付近（下端から各遮蔽体の上下方向長さの２０％以内）に、それぞれ切欠部２０が設けられ、各切欠部２０に連結体１６がほぼ隙間なく嵌合している。中央遮蔽板１０の左辺と左遮蔽板１４の右辺についても同様である。
【００３０】
中央遮蔽板１０の右辺と右遮蔽板１２の左辺における各所定直線を中心とする挿通孔２２には、それぞれ連結体１６の透孔１６ｂを貫通するように軸体２４が挿通され、軸体２４と挿通孔２２及び透孔１６ｂとを回動自在とすることにより、中央遮蔽板１０と連結体１６、並びに連結体１６と右遮蔽板１２が、図６乃至図９に示すように、互いに平行に位置する中央遮蔽板１０の右辺に沿った所定直線と右遮蔽板１２の左辺に沿った所定直線のまわりにそれぞれ相対的に約１８０度回動し得、中央遮蔽板１０と右遮蔽板１２は相対的に約３６０度回転し得る。その際、連結体１６の両半円周面部１６ａと切欠部２０の切欠底面２２ａがほぼ接しつつ相対的に回動する。なお、中央遮蔽板１０の右辺と右遮蔽板１２の左辺の各上下端面に端面キャップ２６が固着されることにより軸体２４の抜け落ちが防がれている。
【００３１】
中央遮蔽板１０の右辺の歯部１８と右遮蔽板１２の左辺の歯部１８は、両遮蔽板が相対的に回動する際に、両歯部１８が噛合しつつ一方の歯部１８についての所定直線のまわりに他方の歯部１８がその他方の歯部１８についての所定直線を中心として相対的に回動し得る。中央遮蔽板１０の左辺と左遮蔽板１４の右辺についても同様である。従って、図１及び図２に示すように折畳衝立装置Ｓの右遮蔽板１２及び左遮蔽板１４が中央遮蔽板１０の両側で前方に張り出した拡開使用状態と、図３に示す折畳状態との間の折畳及び拡開がかのうである。図１及び図２に示す拡開使用状態における遮蔽域（上下の連結体１６の間の領域）全部において、回動可能に連結された中央遮蔽板１０の右辺と右遮蔽板１２の左辺の間、並びに中央遮蔽板１０の左辺と左遮蔽板１４の右辺の間は、歯部１８同士の噛合により遮蔽され、一方の側から他方の側が見えない。長期にわたる使用や保管等により各部にある程度の変形が生じても、噛み合う歯部１８同士における歯１８ａの重なり合いにより遮蔽が維持されるので、一方の側から他方の側が見えるような透き間が生じることが防がれる。
【００３２】
なお、この折畳衝立装置Ｓの上下方向の全部が遮蔽域であった場合でも、遮蔽域は歯部１８と連結体１６により構成されており、回動可能に連結された中央遮蔽板１０の右辺と右遮蔽板１２の左辺の間、並びに中央遮蔽板１０の左辺と左遮蔽板１４の右辺の間は、上下方向において約９８％以上が歯部１８同士の噛合により遮蔽されており、残部に連結体１６が位置するので、遮蔽域のほぼ全部において、実質上一方の側から他方の側が見えないように遮蔽される。而も、連結体１６が上下方向において遮蔽域の端から２０％以内に位置するので、遮蔽域のほぼ全部において、実質上一方の側から他方の側が見えないようにより効果的に遮蔽される。
【００３３】
図１０乃至図１３は、本発明の折畳遮蔽装置の実施の形態の別の例としての折畳デスク装置に関するものであって、図１０は正面側斜視図、図１１はテーブル板を折り畳む状態の概略斜視図、図１２は両側遮蔽板を折り畳む状態の概略斜視図、図１３は、テーブル及び両側遮蔽板を折り畳んだ状態の平面概略図である。
【００３４】
この折畳デスク装置Ｔは、左右端の正面側に左張出板３０ａ及び右張出板３０ｂを有する方形状の背板体３０（遮蔽体）、略方形状の左回動側板３２（遮蔽体）、略方形状の右回動側板３４（遮蔽体）、及び方形状のテーブル板３６（中間部材）を有する。起立状態で使用する背板体３０の左張出板３０ａの前辺（所定直線状部）と左回動側板３２の後辺（所定直線状部）、並びに背板体３０の右張出板３０ｂの前辺（所定直線状部）と右回動側板３４の後辺（所定直線状部）が、図１乃至図９に示した例における中央遮蔽板の右辺と右遮蔽板の左辺の連結と同様に、それぞれ連結体（図示を略す）を介して、互いに回動可能に連結されている。テーブル板３６は、その後辺において蝶番３８を介して水平拡開状態と垂直折畳状態との間で回動し得るように背板体３０の前面の上下中間位置に連結されている。
【００３５】
この折畳デスク装置Ｔの遮蔽域であるテーブル板３６と上側の連結体（上端から背板体３０の上下方向長さの２０％以内）の間全部において、回動可能に連結された背板体３０の左張出板３０ａの前辺と左回動側板３２の後辺の間、並びに背板体３０の右張出板３０ｂの前辺と右回動側板３４の後辺の間は、歯部同士の噛合により遮蔽され、一方の側から他方の側が見えない。長期にわたる使用や保管等により各部にある程度の変形が生じても、噛み合う歯部同士における歯の重なり合いにより遮蔽が維持されるので、一方の側から他方の側が見えるような透き間が生じることが防がれる。
【００３６】
図１０に示すように、起立状態の背板体３０に対し左回動側板３２及び右回動側板３４をそれぞれ前方に張り出した状態とし、テーブル板３６を水平状態としてテーブル板３６の左右下側に設けれた挿入板部３６ａを左回動側板３２及び右回動側板３４の内側部の上下中間位置に設けられた支持部４０の支持溝部４０ａに挿入することにより、テーブル板３６が左回動側板３２及び右回動側板３４により水平状態に支持されると共に左回動側板３２及び右回動側板３４がテーブル板３６及び背板体３０に対し位置決めされ、デスクとして使用可能となる。背板体を左右方向に延長し、左右端及び中間部の１又は２以上の位置に張出部を設け、各張り出し部の前辺に回動側板の後辺を同様に回動可能に連結し、各張出部間における背板体の前面にそれぞれテーブル板の後辺を連結して複数連結の折畳デスク装置とすることも可能である。
【００３７】
収納や運搬等のために折り畳むには、図１１に示すようにテーブル板３６を上方へ回動させて起立させ、図１２に示すように左回動側板３２及び右回動側板３４をそれぞれ内方へ回動させる。この折畳デスク装置Ｔにおいては、背板体３０の右張出板３０ｂを左張出板３０ａよりもやや前方へ張り出させることにより、図１３に示すように左回動側板３２の前に右回動側板３４が位置する状態で折り畳まれるよう構成されている。
【００３８】
なお、以上の実施の形態についての記述における上下位置関係は、図に基づいた説明の便宜のためのものであって、必ずしも実際の使用状態等を限定するものではない。構成部品の個数、形状、その相対配置などは、特にそれらに限定される旨の記載がない限りは、この発明の範囲をそれらのみに限定する趣旨のものではなく、単なる説明例に過ぎない。
【００３９】
また、課題を解決するための手段の項において本発明について述べた例示及び数値範囲を含む説明は、原則として以上の実施の形態についての記述に適用される。
【００４０】
【発明の効果】
本発明の折畳遮蔽装置においては、各遮蔽体の所定直線状部同士において互いに回動可能に連結された一方の遮蔽体に対し他方の遮蔽体が回動することにより折畳及び拡開等が可能であり、回動可能に連結された両所定直線状部の間のうち歯部同士が噛合した部分は、歯の噛み合いに遮蔽され、一方の側から他方の側が見えない。長期にわたる使用や保管等により各部にある程度の変形が生じても、噛み合う歯部同士における歯の重なり合いにより遮蔽が維持されるので、一方の側から他方の側が見えるような透き間が生じることが防がれる。
【図面の簡単な説明】
【図１】拡開状態の平面図である。
【図２】拡開状態の左側面図である。
【図３】折畳状態の平面図である。
【図４】遮蔽体連結部の要部拡大斜視図である。
【図５】遮蔽体連結部の要部分解拡大斜視図である。
【図６】遮蔽体連結部の拡大平面図である。
【図７】遮蔽体連結部の拡大平面図である。
【図８】遮蔽体連結部の拡大平面図である。
【図９】遮蔽体連結部の拡大平面図である。
【図１０】正面側斜視図である。
【図１１】テーブル板を折り畳む状態の概略斜視図である。
【図１２】両側遮蔽板を折り畳む状態の概略斜視図である。
【図１３】テーブル及び両側遮蔽板を折り畳んだ状態の平面概略図である。
【符号の説明】
Ｓ      折畳衝立装置
１０    中央遮蔽板
１２    右遮蔽板
１４    左遮蔽板
１６    連結体
１６ａ  半円周面部
１６ｂ  透孔
１８    歯部
１８ａ  歯
２０    切欠部
２２    挿通孔
２２ａ  切欠底面
２４    軸体
２６    端面キャップ
Ｔ      折畳デスク装置
３０    背板体
３０ａ  左張出板
３０ｂ  右張出板
３２    左回動側板
３４    右回動側板
３６    テーブル板
３６ａ  挿入板部
３８    蝶番
４０    支持部
４０ａ  支持溝部
【図１】
2004176387.tif 000003
【図２】
2004176387.tif 000004
【図３】
2004176387.tif 000005
【図４】
2004176387.tif 000006
【図５】
2004176387.tif 000007
【図６】
2004176387.tif 000008
【図７】
2004176387.tif 000009
【図８】
2004176387.tif 000010
【図９】
2004176387.tif 000011
【図１０】
2004176387.tif 000012
【図１１】
2004176387.tif 000013
【図１２】
2004176387.tif 000014
【図１３】
2004176387.tif 000015